【手続補正書】
【提出日】平成28年12月26日(2016.12.26)
【手続補正１】
【補正対象書類名】明細書
【補正対象項目名】発明の名称
【補正方法】変更
【補正の内容】
【発明の名称】画像再生装置、画像再生方法、およびプログラム
【手続補正２】
【補正対象書類名】明細書
【補正対象項目名】０００１
【補正方法】変更
【補正の内容】
【０００１】
本発明は、画像再生装置、画像再生方法、およびプログラムに関し、特に、画像再生の際に複数の画像から画像を選択して再生する画像再生装置に関する。
【手続補正３】
【補正対象書類名】明細書
【補正対象項目名】０００７
【補正方法】変更
【補正の内容】
【０００７】
従って、本発明の目的は、容易に鑑賞目的の画像データを再生することのできる画像再生装置、画像再生方法、およびプログラムを提供することにある。
【手続補正４】
【補正対象書類名】明細書
【補正対象項目名】０００８
【補正方法】変更
【補正の内容】
【０００８】
上記の目的を達成するため、本発明による画像再生装置は、記録媒体に記録されている複数の画像を読み出す読み出し手段と、前記複数の画像の中から対象画像を基準日に基づいて決定する制御手段と、を有し、前記制御手段は、前記基準日の近傍において所定数以上の画像が撮影された撮影日を特定し、当該特定された撮影日に撮影された画像を前記対象画像として決定することを特徴とする。
【手続補正５】
【補正対象書類名】明細書
【補正対象項目名】０００９
【補正方法】変更
【補正の内容】
【０００９】
本発明による画像再生方法は、画像再生装置で用いられる画像再生方法であって、  記録媒体に記録されている複数の画像を読み出す読み出しステップと、前記複数の画像の中から対象画像を基準日に基づいて決定する制御ステップと、を有し、前記制御ステップでは、前記基準日の近傍において所定数以上の画像が撮影された撮影日を特定し、当該特定された撮影日に撮影された画像を前記対象画像として決定することを特徴とする。
【手続補正６】
【補正対象書類名】明細書
【補正対象項目名】００１０
【補正方法】変更
【補正の内容】
【００１０】
本発明によるプログラムは、画像再生装置で用いられるプログラムであって、前記画像再生装置が備えるコンピュータに、記録媒体に記録されている複数の画像を読み出す読み出しステップと、前記複数の画像の中から対象画像を基準日に基づいて決定する制御ステップと、を実行させ、前記制御ステップでは、前記基準日の近傍において所定数以上の画像が撮影された撮影日を特定し、当該特定された撮影日に撮影された画像を前記対象画像として決定することを特徴とする。
【手続補正７】
【補正対象書類名】明細書
【補正対象項目名】００１１
【補正方法】変更
【補正の内容】
【００１１】
本発明によれば、ユーザは容易に鑑賞目的の画像データを再生することができる。
【手続補正８】
【補正対象書類名】明細書
【補正対象項目名】００４６
【補正方法】変更
【補正の内容】
【００４６】
以上のように、本発明の実施の形態では、ユーザが画像を一枚選択することによって基準日が指定されて、当該基準日に応じてイベント検索が行われ、イベントに関連した画像群が抽出される。これによって、ユーザは面倒な操作を行うことなく、容易に鑑賞目的の画像を再生することができる。なお、上述の説明から明らかなように、図１に示す例では、再生ブロック２０および画像保持ブロック３０が画像再生装置を構成する。
【手続補正９】
【補正対象書類名】特許請求の範囲
【補正対象項目名】全文
【補正方法】変更
【補正の内容】
【特許請求の範囲】
【請求項１】
記録媒体に記録されている複数の画像を読み出す読み出し手段と、
前記複数の画像の中から対象画像を基準日に基づいて決定する制御手段と、を有し、
前記制御手段は、前記基準日の近傍において所定数以上の画像が撮影された撮影日を特定し、当該特定された撮影日に撮影された画像を前記対象画像として決定することを特徴とする画像再生装置。
【請求項２】
前記制御手段は、前記所定数以上の画像が撮影された撮影日が所定の日数以上連続している期間に撮影された画像を、前記対象画像として決定することを特徴とする請求項１に記載の画像再生装置。
【請求項３】
前記制御手段は、前記基準日を含む所定期間の中で、前記所定数以上の画像が撮影された撮影日を特定することを特徴とする請求項１に記載の画像再生装置。
【請求項４】
前記制御手段は、前記基準日を含む所定期間の中で、前記所定数以上の画像が撮影された撮影日が所定の日数以上連続している期間に撮影された画像を、前記対象画像として決定し、前記所定期間において、前記所定の枚数所定の枚数以上の画像が撮影された撮影日がない場合は、前記所定期間において前記所定の枚数以上撮影されていない撮影日のうち連続する期間に撮影された画像を前記対象画像と決定することを特徴とする請求項１に記載の画像再生装置。
【請求項５】
さらに、ユーザに前記基準日を選択させるための選択手段を有することを特徴とする請求項１に記載の画像再生装置。
【請求項６】
前記選択手段は、前記記録媒体に記録されている画像の中から１つの画像ユーザに選択させ、
前記制御手段は、前記選択手段により選択された画像の撮影日を前記基準日とすることを特徴とする請求項５に記載の画像再生装置。
【請求項７】
さらに、前記対象画像に対して、所定の処理を実行する処理手段を有することを特徴とする請求項１に記載の画像再生装置。
【請求項８】
前記所定の処理は、前記対象画像を自動再生する処理であることを特徴とする請求項７に記載の画像再生装置。
【請求項９】
前記所定の処理は、前記対象画像の中から連続再生する画像を選択する処理であることを特徴とする請求項７に記載の画像再生装置。
【請求項１０】
前記制御手段は、前記基準日に関連する画像として前記対象画像を決定することを特徴とする請求項１に記載の画像再生装置。
【請求項１１】
記録媒体に記録されている複数の画像から１つの画像を選択する選択手段と、
前記選択手段によって選択された画像の撮影日を基準日として設定する基準日設定手段と、
前記記録媒体に記録されている複数の画像の中に、前記基準日が撮影日である画像が所定数以上あり、かつ、前記基準日に隣接する日が撮影日である画像が所定数以上ある場合に、前記基準日および前記基準日に隣接する日が撮影日である画像を前記選択された画像に関連する画像として設定する画像設定手段と、
を有することを特徴とする画像再生装置。
【請求項１２】
記録媒体に記録されている複数の画像から１つの画像を選択する選択手段と、
前記選択手段によって選択された画像の撮影日に基づいて、前記選択された画像に関連するイベント期間を決定する決定手段と、を有し、
前記決定手段は、前記記録媒体に記録されている複数の画像の中に、前記選択された画像の撮影日に撮影された画像が所定数以上ある場合に、前記選択された画像の撮影日と、当該撮影日と連続する日であって前記前記所定数以上撮影された日とを含む期間を前記イベント期間として決定することを特徴とする画像再生装置。
【請求項１３】
前記決定手段は、前記イベント期間を、前記選択された画像の撮影日から所定期間の中から決定することを特徴とする請求項１２に記載の画像再生装置。
【請求項１４】
画像再生装置で用いられる画像再生方法であって、  記録媒体に記録されている複数の画像を読み出す読み出しステップと、
前記複数の画像の中から対象画像を基準日に基づいて決定する制御ステップと、を有し、
前記制御ステップでは、前記基準日の近傍において所定数以上の画像が撮影された撮影日を特定し、当該特定された撮影日に撮影された画像を前記対象画像として決定することを特徴とする画像再生方法。
【請求項１５】
画像再生装置で用いられる画像再生方法であって、 記録媒体に記録されている複数の画像から１つの画像を選択する選択ステップと、
前記選択ステップで選択された画像の撮影日を基準日として設定する基準日設定ステップと、
前記記録媒体に記録されている複数の画像の中に、前記基準日が撮影日である画像が所定数以上あり、かつ、前記基準日に隣接する日が撮影日である画像が所定数以上ある場合に、前記基準日および前記基準日に隣接する日が撮影日である画像を前記選択された画像に関連する画像として設定する画像設定ステップと、
を有することを特徴とする画像再生方法。
【請求項１６】
画像再生装置で用いられる画像再生方法であって、 記録媒体に記録されている複数の画像から１つの画像を選択する選択ステップと、
前記選択ステップで選択された画像の撮影日に基づいて、前記選択された画像に関連するイベント期間を決定する決定ステップと、を有し、
前記決定ステップでは、前記記録媒体に記録されている複数の画像の中に、前記選択された画像の撮影日に撮影された画像が所定数以上ある場合に、前記選択された画像の撮影日と、当該撮影日と連続する日であって前記前記所定数以上撮影された日とを含む期間を前記イベント期間として決定することを特徴とする画像再生方法。
【請求項１７】
画像再生装置で用いられるプログラムであって、
前記画像再生装置が備えるコンピュータに、
記録媒体に記録されている複数の画像を読み出す読み出しステップと、
前記複数の画像の中から対象画像を基準日に基づいて決定する制御ステップと、を実行させ、
前記制御ステップでは、前記基準日の近傍において所定数以上の画像が撮影された撮影日を特定し、当該特定された撮影日に撮影された画像を前記対象画像として決定することを特徴とするプログラム。
【請求項１８】
画像再生装置で用いられるプログラムであって、 前記画像再生装置が備えるコンピュータに、
記録媒体に記録されている複数の画像から１つの画像を選択する選択ステップと、
前記選択ステップで選択された画像の撮影日を基準日として設定する基準日設定ステップと、
前記記録媒体に記録されている複数の画像の中に、前記基準日が撮影日である画像が所定数以上あり、かつ、前記基準日に隣接する日が撮影日である画像が所定数以上ある場合に、前記基準日および前記基準日に隣接する日が撮影日である画像を前記選択された画像に関連する画像として設定する画像設定ステップと、
を実行させることを特徴とするプログラム。
【請求項１９】
画像再生装置で用いられるプログラムであって、 前記画像再生装置が備えるコンピュータに、
記録媒体に記録されている複数の画像から１つの画像を選択する選択ステップと、
前記選択ステップで選択された画像の撮影日に基づいて、前記選択された画像に関連するイベント期間を決定する決定ステップと、を実行させ、
前記決定ステップでは、前記記録媒体に記録されている複数の画像の中に、前記選択された画像の撮影日に撮影された画像が所定数以上ある場合に、前記選択された画像の撮影日と、当該撮影日と連続する日であって前記前記所定数以上撮影された日とを含む期間を前記イベント期間として決定することを特徴とするプログラム。